(57)【要約】【課題】熱膨張や膨潤による屋根瓦の盛り上りや破損を防止することができる屋根瓦を提供すること。【解決手段】屋根瓦１の瓦本体２の横方向一側縁３又は差込押部６の横方向他側縁２３に横方向に所定の突出幅Ｗを有する突起１３を形成することで、屋根葺き時に、横方向に隣接する他の瓦１ｄとの間に隙間Ｓを形成させる。そして、屋根葺き後に一の屋根瓦１ａが熱膨張や膨潤をおこした場合には、突起１３が横方向に隣接する他の瓦１ｄに押圧されることでその一部または全部が壊れて剥がれ落ちることにより、一の屋根瓦１ａの膨らみが他の屋根瓦１ｄとの間の隙間Ｓに吸収される。【選択図】      図１
2004225341.tif 000002
【特許請求の範囲】
【請求項１】
瓦本体の横方向一側縁に沿って瓦本体の上面より低い位置に設けられた導水面を有する差込受部と、
瓦本体の横方向他側縁に沿って設けられ、屋根葺き時に隣接する他の屋根瓦の前記差込受部の導水面とその裏面とが重合する位置関係となる差込押部と、
瓦本体の尻部に形成され、瓦桟に打ち込む係止具を挿入するための取付孔と、を具備する屋根瓦において、
前記瓦本体の横方向一側縁又は前記差込押部の横方向他側縁に、所定の突出幅、高さ及び長さを有する突起を形成したことを特徴とする屋根瓦。
【請求項２】
前記突起の基端部に、高さ方向に沿って切込を形成したことを特徴とする請求項１に記載の屋根瓦。
【発明の詳細な説明】
【０００１】
【発明の属する技術分野】
本発明は、住宅などの屋根葺き用の屋根瓦に関し、特に、屋根瓦の熱膨張や膨潤等による屋根瓦の盛り上りや破損を防止する屋根瓦に関する。
【０００２】
【従来の技術】
従来の屋根瓦５０は、図１１に示すように、瓦本体５１の横方向一側には瓦本体５１の上面より一段低い表側面５２を有して導水帯５３を形成する差込受部５４が、瓦本体５１の横方向他側には差込受部５４の表側面５２に対して重合される形状の差込押部５５がそれぞれ形成されると共に、瓦本体５１の尻部５６の横方向中央部近傍における上面５７に略鉤形の引掛け部５８が設けられ、差込受部５４の頭部５９側角部に、水返し６０により導水帯５３と分離され、かつ、差込受部５４の表側面５２より低い表側面６１を有する薄板状の係合受部６２が形成されたものである。
【０００３】
屋根葺き時には、従来の屋根瓦５０は、図１１または図１２に示すように、横方向については、一の屋根瓦５０ａの差込押部５５を横方向他側方に位置する他の屋根瓦５０ｂの差込受部５４の表側面５２に対して重合するように配置し、縦方向については、一の屋根瓦５０ａの引掛け部５８を横方向他側方斜め上方にある他の屋根瓦５０ｃの係合受部６２に引掛けて配置する。そして、瓦本体５１の尻部５６に設けられた取付孔６３に釘等の係止具２００を挿入し、その下方に配置された瓦桟１００に打ち込みことにより所定位置に固定する（例えば、特許文献１または特許文献２参照。）。
【０００４】
【特許文献１】
特開平８−９３１４１号公報（第３頁、第１図）
【特許文献２】
特開２００２−１３８６２８号公報（第３−４頁、第１図）
【０００５】
【発明が解決しようとする課題】
しかしながら、従来の屋根瓦５０によると、屋根葺き後、屋根瓦５０の熱膨張や膨潤により、屋根瓦５０が盛り上ったり破損したりすることがあるという問題点がある。すなわち、上述の通り、横方向において、一の屋根瓦５０ｂの差込受部５４の表側面５２に対して横方向に隣接する屋根瓦５０ａの差込押部５５が重合するように配置してゆく際に、一の屋根瓦５０ａの差込押部５５の横方向他側縁６４と隣接する他の屋根瓦５０ｂの瓦本体５１の横方向一側縁６５との間に隙間が生じないように配置してゆくので、いずれが一方の屋根瓦５０ａ、５０ｂが熱膨張や膨潤をおこすと、図１３に示すように、これら２枚の屋根瓦５０ａ、５０ｂがその接する面を中心として盛り上ったり、また図示はしないが、いずれか一方又は両方の屋根瓦５０ａ、５０ｂが破損したりする。
【０００６】
本発明は、上記課題に鑑みてなされたものであり、熱膨張や膨潤による屋根瓦の盛り上りや破損を防止することができる屋根瓦を提供することを目的とする。
【０００７】
【課題を解決するための手段】
前記目的を達成するためになされた本発明の請求項１に記載の屋根瓦は、瓦本体の横方向一側縁に沿って瓦本体の上面より低い位置に設けられた導水面を有する差込受部と、瓦本体の横方向他側縁に沿って設けられ、屋根葺き時に隣接する他の屋根瓦の前記差込受部の導水面とその裏面とが重合する位置関係となる差込押部と、瓦本体の尻部に形成され、瓦桟に打ち込む係止具を挿入するための取付孔孔と、を具備する屋根瓦において、前記瓦本体の横方向一側縁又は前記差込押部の横方向他側縁に、所定の突出幅、高さ及び長さを有する突起を形成したことを特徴とするものである。
【０００８】
請求項２に記載の屋根瓦は、請求項１に記載の屋根瓦において、前記突起の基端部に、高さ方向に沿って切込を形成したことを特徴とするものである。
【０００９】
【発明の実施の形態】
以下、本発明の実施の形態について図面に基づいて説明する。
本発明の実施の形態に係る屋根瓦１は、例えば、図１に示すように、瓦本体２の横方向一側縁３に沿って瓦本体２の上面より低い位置に設けられた導水面４を有する差込受部５と、瓦本体２の横方向他側縁に沿って設けられ、屋根葺き時に隣接する他の屋根瓦１ｂ（図２参照）の差込受部５の導水面４とその裏面とが重合する位置関係となる差込押部６と、差込受部５の横方向一側縁７に沿ってその導水面４より低い位置に設けられた係合受部８と、瓦本体２の尻部９に横方向へ突出して設けられ、屋根葺き時に斜め上方にある他の屋根瓦１ｃ（図２参照）の係合受部８の表面１０に係合する引掛け部１１と、瓦本体２の尻部９に形成され、瓦桟１００に打ち込む係止具２００（図４参照）を挿入するための取付孔１２とを具備する屋根瓦であって、瓦本体２の横方向一側縁３に、所定の突出幅、高さ及び長さを有する突起１３を形成したものである。
なお、本発明に係る屋根瓦１は、耐風、耐震機能の向上を図るために、差込受部５の横方向一側縁７に係合受部８を形成し、かつ、瓦本体２の尻部９に引掛け部１１を形成しているが、これに限定されるものではなく、例えば、係合受部８及び引掛け部１１を形成しないＦ形桟瓦（図示せず）等、あらゆる種類の平板状瓦について本発明と同様の構成を有する瓦とすることが可能である。
【００１０】
本実施の形態においては、図１または図２に示すように、屋根瓦１をＦ形桟瓦としているので、瓦本体２は、中央部が平板状に形成されると共に、横方向両側及び尻部９が中央部よりも一段高く形成されている。
【００１１】
差込受部５は、図１に示すように、瓦本体２の横方向一側縁３に沿って形成された長方形の略平板状の部分であって、瓦本体２の横方向一側縁３における表面１４よりも低い導水面４を有する。
【００１２】
そして、図１または図２に示すように、屋根葺き時には、一の屋根瓦１ａの差込押部６を横方向他側方に隣接して配置される他の屋根瓦１ｂの差込受部５の導水面４に対して重合するように配置する。この導水面４は、一の屋根瓦１ａの差込押部６と他の屋根瓦１ｂの瓦本体２の横方向一側縁３から入った雨水等を下方へ落とすことなく軒側へ流す役割を果たすものである。そのため、導水面４の外周端部には上方へ盛り上った水返し１５が形成されており、導水面４を流れる水が側方へ落ちることを防止し、全てが軒側へ流れるようになっている。
【００１３】
差込押部６は、図１に示すように、瓦本体２の横方向他側縁に沿って形成された長方形の略平板状の部分である。また、図示はしないが、差込受部５が納まるように瓦本体２の横方向他側縁における裏面よりも高い位置に裏面を有している。そして、屋根葺き時には、前述の通り、差込押部６が、横方向他側方に隣接して配置される他の屋根瓦１ｂの差込受部５の導水面４に対して重合するように配置される。
【００１４】
係合受部８は、図１に示すように、横方向一側に形成された差込受部５の横方向一側縁７に、引掛け部１１の水平部の下面と瓦本体２の尻部９の表面１６との間の距離よりも若干薄い一定の厚さを有するように形成された細板状部であり、引掛け部１１の水平部の下面及び垂直部の内側側面と瓦本体２の尻部９の表面１６とにより形成された空間１７に嵌入されることで、引掛け部１１と互いに係合可能な対を構成するものである。
【００１５】
係合受部８の長さについては、屋根瓦１の縦方向の重なり長さに合わせて定められるが、本実施の形態では、差込受部５の横方向一側縁７の長さ方向全長に形成されている。そして、差込受部５の導水面４より低い表面１０を有するように形成され、差込受部５の導水面４に対して水返し１５により分離されている。
【００１６】
なお、係合受部８の形状、その長さについては、特に限定されるものではなく、例えば、図３に示すように、差込受部５の頭部１８側角部にのみ形成してもよい。しかしながら、この場合には、その長さが短いために、棟方向へ屋根瓦１を葺く際に縦方向の働き長さの調整が困難であるという不具合を生じたり、屋根瓦１全体に対して係合受部８の大きさが小さく、また、その厚さも薄いので、屋根瓦を葺く際の衝撃等で係合受部８が破損するという不具合を生じることがある。そこで、本実施の形態では、図１に示すように、係合受部８を差込受部５の横方向一側縁７の長さ方向全長に形成することにより、屋根瓦１の縦方向の働き長さの調整を容易にすると共に係合受部８を破損しにくくして、これらの不具合が生じることを防止している。
【００１７】
引掛け部１１は、図１に示すように、略鉤形の突出部分であり、その水平部の下面及び垂直部の内側側面と瓦本体２の尻部９の表面１６とにより係合受部８が嵌入可能な空間１７を形成することで、係合受部８と互いに係合可能な対を構成するものである。
【００１８】
そして、屋根葺き時には、図２に示すように、一の屋根瓦１ａの引掛け部１１を横方向他側方斜め上方にある他の屋根瓦１ｃに引掛けて２枚の屋根瓦１ａ、１ｃを係合させる。本実施の形態においては、屋根瓦１を千鳥状に配置しているため、一の屋根瓦１ａの横方向他側方斜め上方にある他の屋根瓦１ｃの係合受部８は、屋根葺き後には、当該一の屋根瓦１ａの尻部９の横方向中央部近傍に位置することとなるので、それに合わせて、引掛け部１１は瓦本体２の尻部９の側縁の横方向中央部近傍に配置されている。
【００１９】
また、引掛け部１１の向きは、後述する係合受部８が形成される位置及び形状に合わせて定められるが、本実施の形態においては、横方向他側方斜め上方にある他の屋根瓦１ｃの係合受部８に引掛けることができるように、横方向他側方に向いている。したがって、引掛け部１１の位置及び向きについては、これに限定されるものではなく、係合受部８の形成される位置及び形状に合致すればよく、例えば、図３に示すように、瓦本体２の尻部９の側縁よりやや頭部１８方に配置することも可能である。
【００２０】
取付孔１２は、図１または図４に示すように、釘等の係止具２００を挿入するための孔であって、屋根葺き時に、瓦桟１００の上に載置される部分である瓦本体２の尻部９に貫通して設けられる。より具体的には、係止具２００の胴部２０１が挿入できる程度の直径を有し、瓦桟１００の幅方向において瓦本体２の尻部９方の上端部から頭部１８方の下端部に向って係止具２００を打ち込むことができるように傾斜して設けられている。
【００２１】
そして、取付孔１２に係止具２００を挿入し、その下方に配置された瓦桟１００に係止具２００を打ち込むことにより、屋根瓦１を所定位置に固定する。このとき、取付孔１２の表面１９を該取付孔１２の内面の傾斜角度と略直角となるように尻部９方に傾斜して形成しているので、係止具２００を取付孔１２に挿入させた際に、係止具２００の頭部２０２が取付孔１２の周囲に密着することとなり、取付孔１２内部に雨水等が浸入することを防いでいる。
なお、取付孔１２の個数は、特に制限はないが、通常は、１個または２個程度であり、本実施の形態では、瓦桟１００の長さ方向に沿って、屋根瓦１の尻部９において横方向に２箇所設けられている。
【００２２】
なお、取付孔１２の断面形状については、特に限定されるものではなく、例えば、図５に示すように、瓦本体２の高さ方向に略平行に形成してもよい。しかしながら、この場合には、係止具２００を取付孔１２に挿入し、瓦本体２の下方に配置された瓦桟１００に打ち込むと、その先端部２０３が瓦桟１００、下葺き材１０１を貫通して野地板１０２にまで到達するので、取付孔１２と係止具２００との間に生じるわずかな隙間や隣接する屋根瓦１どうしの間に生じる隙間から入った雨水等の水が係止具２００の胴部２０１をつたって野地板１０２にまで到達し小屋組（図示せず）内に漏水する可能性がある。
そこで、本実施の形態では、図４に示すように、取付孔１２を尻部９方から斜め下方に向って穿設することにより、係止具２００を取付孔１２に挿入し、瓦桟１００に打ち込んでも、その先端部２０３が瓦桟１００を貫通しないようにして、漏水の可能性を無くしている。また、通常、屋根瓦１の引抜力は瓦桟１００に対して垂直に働くが、係止具２００を瓦桟１００に斜めに打ち込むことで、係止具２００と瓦桟１００との接地面積を大きくすることができ、屋根瓦１の引抜力に対しても大きい補釘力を発揮することができる。
【００２３】
突起１３は、図１または図６に示すように、瓦本体２の横方向一側縁３において、瓦本体２の横方向一側縁３における尻部９方に横方向に所定の突出幅Ｗを有し、かつ高さ方向に一定の長さを有するように形成された凸条部分であり、平面視において、基端部２０にはその脱落を容易するために長さ方向両端部に高さ方向に沿って切込２１が形成され、かつ、先端部２２の形状は多方向から満遍無く力を受けることができるように略半円形状に形成されている。なお、本実施の形態では、突起１３の先端部２２の形状を略半円形状としたが、これに限定されるものではなく、例えば、略三角形状または略四角形状等の多角形状としてもよい。
【００２４】
突起１３の位置は、瓦本体２の横方向一側縁３における尻部９方に形成しているが、これに限定されるものではなく、瓦本体２の横方向一側縁３であれば長さ方向の中央部や頭部１８方に形成してもよい。また、図７に示すように、瓦本体２の横方向他側方に形成された差込押部６の横方向他側縁２３に形成することとしてもよい。突起１３の個数も、特に制限はないが、容易に剥がれ落ちることを可能とするためには、長さ方向に１個または２個程度とするのが好適であるが、これに限定されるものではない。突起の形状についても、本実施の形態では、屋根瓦１の高さ方向に細長い形状としているが、これに限定されるものではなく、例えば、屋根瓦１の長さ方向に細長い形状や略半球状等としてもよく、特に限定されない。
【００２５】
突起１３の突出幅Ｗは、屋根瓦１の横方向における働き幅及びその許容差を考慮して設定される。例えば、屋根瓦１の働き幅の許容差を±４ｍｍとした時、８ｍｍ以内とし、突起１３が瓦本体２から剥がれ落ちたとしても、屋根瓦１の働き幅を確保できるように設定する。
ここで、屋根瓦１の働き幅とは、通常、横方向において、屋根瓦１の全幅より屋根瓦１の重なり部分を差し引いた幅のことであるが、本実施の形態では、屋根瓦１をＦ形桟瓦としているので、その働き幅は瓦本体２の横方向一側縁３から差込押部６の横方向他側縁２３までの距離と略等しい（図１参照）。
【００２６】
また、突起１３の突出幅Ｗの調整は、製造時には、突起１３の突出幅Ｗを所定の寸法よりも大きく形成しておき、出荷時に、図８に示すように、切断砥石３００等で突起１３を削り取ること等により行う。具体的には、差込押部６の横方向他側縁２３に当て治具３０１をあてがうと共に、該当て治具３０１から所定の働き幅Ｈの間隔を設けて配置された切断砥石３００で突起１３の先端部２２を削ることにより、屋根瓦１を所定の働き幅に加工する。
【００２７】
そして、屋根葺き時には、図９に示すように、一の屋根瓦１ａの瓦本体２の横方向一側縁３と横方向一側方に隣接する他の屋根瓦１ｄの差込押部６の横方向他側縁２３との間に隙間Ｓを形成する。
【００２８】
次に、本実施の形態に係る屋根瓦１の屋根葺き時における取付構造について説明する。
屋根瓦１は、横方向には、図２に示すように、一の屋根瓦１ａの差込押部６を他側方に隣接する他の屋根瓦１ｂの差込受部５の導水面４に対して重合するように配置してゆく。このとき、他の屋根瓦１ｂの瓦本体２の横方向一側縁３には突起１３が形成されているので、他の屋根瓦１ｂの瓦本体２の横方向一側縁３と一の屋根瓦１ａの差込押部６の横方向他側縁２３との間に隙間Ｓが形成される（図１０参照）。なお、該隙間Ｓから入った雨水等は、差込受部５に形成された導水面４により軒側へ流されることとなる（図１参照）。
【００２９】
一方、縦方向には、図２に示すように、一の屋根瓦１ａの引掛け部１１を横方向他側方斜め上方にある他の屋根瓦１ｃの係合受部８に引掛けて配置する。そして、図４に示すように、瓦本体２の尻部９に設けられた取付孔１２に釘等の係止具２００を挿入し、その下方に配置された瓦桟１００に打ち込むことにより所定位置に固定される。
このように、屋根瓦１は、頭部１８方については、引掛け部１１と係合受部８との係合により固定され、尻部９方については、係止具２００により瓦桟１００に固定されることとなる。
【００３０】
そして、屋根葺き後、図９または図１０に示すように、一の屋根瓦１ａが熱膨張や膨潤をおこした場合には、一の屋根瓦１ａは横方向に隣接する他の屋根瓦１ｂ、１ｄを押圧することとなる。この際に、一の屋根瓦１ａまたは他の屋根瓦１ｂ、１ｄの盛り上りや破損を防ぐためには、突起１３の一部または全部が壊れて剥がれ落ち、一の屋根瓦１ａの膨らみを他の屋根瓦１ｂ、１ｄとの間の隙間Ｓに吸収させる必要がある。
【００３１】
横方向一側方においては、図９または図１０に示すように、一の屋根瓦１ａの突起１３が隣接する他の屋根瓦１ｄの差込押部６の横方向他側縁２３を押圧する。このとき、突起１３の基端部２０の長さ方向両端部には切込２１が形成されていることから、突起１３に力がかかり続けると、切込２１に沿って亀裂が形成されることとなり、この亀裂がある程度大きくなると、突起１３の一部または全部が一の屋根瓦１ａの瓦本体２の横方向一側縁３から剥がれ落ちる。これにより、突起１３により形成された一の屋根瓦１ａの瓦本体２の横方向一側縁３と横方向一側方に隣接する屋根瓦１ｄの差込押部６の横方向他側縁２３との隙間Ｓに、一の屋根瓦１ａの膨らみが吸収されることとなるので、一の屋根瓦１ａが盛り上りや破損をおこすことはない。また、突起１３の先端部２２は略半円形状としているので、一方向だけでなく多方向から満遍無く力を受けることができるので、一の屋根瓦１ａの熱膨張や膨潤が一様でなくても、隣接する他の屋根瓦１の差込押部６の横方向他側縁２３を確実に押圧する。
【００３２】
横方向他側方においては、図１０に示すように、一の屋根瓦１ａの差込押部６の横方向他側縁２３が隣接する他の屋根瓦１ｂの突起１３を押圧することとなる。一の屋根瓦１ａの膨らみが大きい場合には、一の屋根瓦１ａの突起１３だけでなく、他の屋根瓦１ｂの突起１３の一部または全部が剥がれ落ち、該突起１３により形成された一の屋根瓦１ａの差込押部６の横方向他側縁２３と他の屋根瓦１ｂの瓦本体２の横方向一側縁３との間の隙間Ｓに、一の屋根瓦１ａの膨らみが吸収されることとなる。
【００３３】
このように、突起１３の一部または全部が瓦本体２から剥がれ落ちることにより、一の屋根瓦１ａの膨らみは一の屋根瓦１ａと他の屋根瓦１ｂ、１ｄとの間の各隙間Ｓに吸収されることとなるので、一の屋根瓦１ａまたは他の屋根瓦１ｂ、１ｄが盛り上ったり破損することはない。また、突起１３の突出幅Ｗを屋根瓦１の働き幅から設定しているので、突起１３の全部が瓦本体２から剥がれ落ちたとしても、一の屋根瓦１ａの働き幅は所定の寸法未満になることはない。なお、瓦本体２から剥がれ落ちた突起１３は、雨水等と一緒に差込受部５に形成された導水面４により軒側へ流されることとなる（図１参照）。
【００３４】
一方、縦方向においては、図２に示すように、横方向他側方斜め上方にある他の屋根瓦１ｃの差込受部５の横方向一側縁７に長さ方向全長にわたって係合受部８が形成されていることから、一の屋根瓦１ａの引掛け部１１が係合受部８に沿って移動自在であるために、一の屋根瓦１ａが膨らんだとしても、一の屋根瓦１ａの引掛け部１１と横方向他側方斜め上方にある他の屋根瓦１の係合受部８とがその係合部分において押し合うことがないので、一の屋根瓦１ａまたは他の屋根瓦１ｃが盛り上ったり破損したりすることはない。
【００３５】
【発明の効果】
以上説明したように、本発明の請求項１に係る屋根瓦によれば、瓦本体の横方向一側縁又は差込押部の横方向他側縁に突起を形成したことにより、一の屋根瓦と横方向に隣接する他の屋根瓦との間に隙間を形成することとしているので、一の屋根瓦が熱膨張や膨潤をおこした場合であっても、突起が横方向に隣接する他の屋根瓦に押圧されてその一部または全部が瓦本体から剥がれ落ちることにより、一の屋根瓦と横方向に隣接する他の屋根瓦との間に形成した隙間に一の屋根瓦の膨らみを吸収させることができるので、屋根瓦の盛り上りや破損を防止することができるという利点がある。
【００３６】
本発明の請求項２に記載の屋根瓦によれば、上記に効果に加えて、突起の基端部に切込を形成したことにより、突起の基端部に亀裂が生じやすくなり、突起が瓦本体から剥がれ落ちやすくなるという利点がある。
【図面の簡単な説明】
【図１】本発明の実施の形態に係る屋根瓦を示す斜視図である。
【図２】本発明の実施の形態に係る屋根瓦を屋根に配置する際の状態を示す斜視図である。
【図３】本発明の他の実施の形態に係る屋根瓦を示す斜視図である。
【図４】本発明の実施の形態に係る屋根瓦の取付孔の周囲を示す断面図である。
【図５】本発明の他の実施の形態に係る屋根瓦の取付孔の周囲を示す断面図である。
【図６】本発明の実施の形態に係る屋根瓦の突起周辺を示す斜視図である。
【図７】本発明の他の実施の形態に係る屋根瓦の突起周辺を示す斜視図である。
【図８】本発明の実施の形態に係る屋根瓦の働き幅の調整の手順を示す図である。
【図９】本発明の実施の形態に係る屋根瓦の突起の近傍を示す斜視図である。
【図１０】本発明の実施の形態に係る屋根瓦を屋根に配置する際の状態を示す斜視図である。
【図１１】従来例に係る屋根瓦を示す斜視図である。
【図１２】従来例に係る屋根瓦を屋根に配置する際の状態を示す斜視図である。
【図１３】従来例に係る屋根瓦が盛り上った状態を頭部方から見た図である。
【符号の説明】
１  屋根瓦
２  瓦本体
３  横方向一側縁（本体）
４  導水面
５  差込受部
６  差込押部
７  横方向一側縁（差込受部）
８  係合受部
９  尻部
１０  表面
１１  引掛け部
１２  取付孔
１３  突起
２３  横方向他側縁（差込押部）
【図１】
2004225341.tif 000003
【図２】
2004225341.tif 000004
【図３】
2004225341.tif 000005
【図４】
2004225341.tif 000006
【図５】
2004225341.tif 000007
【図６】
2004225341.tif 000008
【図７】
2004225341.tif 000009
【図８】
2004225341.tif 000010
【図９】
2004225341.tif 000011
【図１０】
2004225341.tif 000012
【図１１】
2004225341.tif 000013
【図１２】
2004225341.tif 000014
【図１３】
2004225341.tif 000015